(57)【要約】【課題】昆虫の産卵管がノッチに挿入されてもこれを心線に到達させることなく、心線の損傷を抑えられると共に、外被を切裂きやすく心線取出し性にも優れる光ファイバケーブルを提供する。【解決手段】ケーブルの外被部分に入口ノッチ部と先端ノッチ部からなるノッチを設け、入口ノッチ部をその向きが光ファイバ心線に向わないような配置の略くさび状断面形状とする一方、先端ノッチ部を入口ノッチ部から拡大させた断面形状とすることから、心線側に向う切裂きを誘発する隅部が入口ノッチ部側から隔離され、ノッチへの産卵管挿入に際しても産卵管を入口ノッチ部から心線側に向わせない状態を維持でき、ノッチを通じた外被への産卵管刺し入れによる光ファイバ心線の損傷抑止が図れる上、先端ノッチ部を起点として外被を手で引裂くことができ、光ファイバ心線の外被からの取出し作業を簡易に行える。【選択図】図１
2009063880.tif 000002
【特許請求の範囲】
【請求項１】
樹脂混合物を押出成形して形成される外被を有し、一又は複数本の光ファイバ心線、及び当該光ファイバ心線と並行させて一又は複数本配置される補強線の外周を、前記外被で一括被覆されてなる光ファイバケーブルにおいて、
前記外被に、ケーブル長手方向に溝状に連続する二つのノッチが、前記光ファイバ心線中心又は心線群の中心位置について所定の対称関係となる配置でそれぞれ設けられ、
前記ノッチが、前記外被表面寄りの入口ノッチ部と、前記光ファイバ心線寄りの先端ノッチ部との組合せ構造とされ、
前記入口ノッチ部が、前記外被における前記光ファイバ心線から離れた端部の表面所定位置から、光ファイバ心線の側方に達する略くさび状の断面形状となる略溝状部とされ、且つ溝入口側から溝奥側へ向う延長線上に光ファイバ心線が存在しない位置関係として配置されてなり、
前記先端ノッチ部が、前記入口ノッチ部の溝奥側端部から前記延長線に沿ってさらに進むにつれ拡大し、且つ前記光ファイバ心線寄りに位置する一つの隅部が先細状とされると共に当該先細になっていく向きを光ファイバ心線中心又は心線群の中心位置に向けられている所定断面形状の略溝状部とされてなることを
特徴とする光ファイバケーブル。
【請求項２】
前記請求項１に記載の光ファイバケーブルにおいて、
前記先端ノッチ部が、前記一つの隅部を尖端とする断面Ｖ字状部分を有し、当該断面Ｖ字状部分が入口ノッチ部先端より心線寄りに位置すると共に、前記入口ノッチ部の略くさび状断面形状の開き角に対して、前記断面Ｖ字状部分の開き角を大きく設定されてなることを
特徴とする光ファイバケーブル。
【請求項３】
前記請求項１又は２に記載の光ファイバケーブルにおいて、
前記光ファイバ心線と補強線を外被で被覆したケーブル本体の全体形状を、光ファイバ心線中心又は心線群の中心位置と補強線中心とを結ぶ線と平行な辺を有する矩形断面形状とし、
前記ノッチが、入口部分を矩形断面のコーナ部に位置させ、前記光ファイバ心線中心又は心線群の中心位置と補強線中心とを結ぶ線を中心として左右対称に配置されることを
特徴とする光ファイバケーブル。
【発明の詳細な説明】
【技術分野】
【０００１】
本発明は、光通信用機器間配線に用いられる光ファイバケーブルに関し、特に、各機器等への接続の際における被覆除去作業（心線取出し作業）が容易で取扱い性に優れると共に、セミ等の昆虫が産卵管等を突き刺した場合でも心線の損傷を防止できる光ファイバケーブルに関する。
【背景技術】
【０００２】
電力供給や情報通信に用いられる電線やケーブルは、一般に一又は複数本の心線を樹脂材等の外被で一括被覆を施した構造となっている。この電線やケーブルを各種機器に接続したり、接続用のコネクタを取付けたりする場合、端部で外被を除去し、内部の心線を露出させる必要がある。
【０００３】
また、高速・広帯域の情報通信サービスで用いられる光ファイバケーブル、特に、光ファイバケーブル網を各通信加入者の宅内にまで接続するＦＴＴＨ（Fiber To The Home）において、電柱等の架空集合部から各加入者宅内又はビル内に加入者数に対応した光ファイバ心線を引込むための架空光ファイバケーブル（ドロップケーブル）では、一般に一又は複数本の光ファイバ心線と補強線（テンションメンバ）を並列配置し、樹脂材等の外被で一括被覆を施した構造となっている。この光ファイバケーブルにおいても、通信用機器に接続したり、接続用のコネクタを取付けたりする場合、ケーブル端部で外被を除去し、内部の光ファイバ心線を露出させる必要がある。
【０００４】
こうした光ファイバケーブルとして、外被表面に長手方向へ連続する複数の切裂き用溝（ノッチ）を設け、工具を可能な限り使用せずに外被を切裂いて光ファイバ心線を容易に露出させることを目指したものが従来から広く利用されている。こうしたノッチ付きの光ファイバケーブルで内部の光ファイバ心線を取出す際、ケーブル端部でノッチ位置を中心に外被を開くと、ノッチ先端と光ファイバ心線との間での切裂きが進行し、光ファイバ心線周囲から外被を外しやすくなる仕組みである。このような従来のノッチ付きの光ファイバケーブルの一例として、特開平１０−３０１００２号公報に開示されるものがある。
【０００５】
一方、こうした架空光ファイバケーブルでは、セミ等の昆虫がケーブルを木の枝と誤認し、ノッチのような狭隙部分に産卵管を突き刺すことにより、ノッチの先に位置する光ファイバ心線を損傷させる問題が広く知られており、その対策が求められている。こうした問題に対し、近年、ケーブルにおけるノッチの形状を変えて、産卵管がノッチ内に突き刺されても光ファイバ心線まで到達しにくくしたものがあり、このような対策を施した従来の光ファイバケーブルの一例として、特開２００６−１６３３３７号公報に開示されるものがある。
【０００６】
この従来の光ファイバケーブルは、スリット状のノッチが中間部分で屈曲された形状となっており、屈曲部位より先のノッチ奥端部を光ファイバ心線に向わせるものの、ノッチの入口から屈曲部位まではその延長方向を光ファイバ心線からずらした形状とし、産卵管が突き刺されても光ファイバ心線まで到達させないことを目指したものとなっている。
【特許文献１】特開平１０−３０１００２号公報
【特許文献２】特開２００６−１６３３３７号公報
【発明の開示】
【発明が解決しようとする課題】
【０００７】
従来の光ファイバケーブルは前記各特許文献に示される構成となっており、前記特許文献２に記載された従来の光ファイバケーブルの場合、ケーブルの外被が硬質であれば、ノッチの入口部分に挿入された産卵管が周囲の外被を変形させられず、産卵管はこの入口部分にとどまるか、外被におけるノッチ入口部分の延長上にある部位に突刺さり、ノッチの屈曲部分より先の心線に向いた先端部分に産卵管が達することはない。
【０００８】
しかしながら、仮に外被が、手による引裂きが容易となる実用的な硬さとされている場合には、ノッチが屈曲しながらも全体としてスリット状に連続しているため、ノッチの入口部分に挿入されて屈曲部分に達した産卵管が、ノッチ周囲の外被を一部弾性変形させつつそのままスリット状のノッチに沿ってノッチ先端部に向う状態となりやすく、産卵管が撓みながらも屈曲部分を越え、心線に達する危険性が高いというという課題を有していた。
【０００９】
また、この従来の光ファイバケーブルでは、ノッチが細いスリット状となっているため、一般に外被を押出被覆成形して一体のケーブルとされる実際のケーブル製造にあたって、外被の中に細く且つ屈曲したスリット状のノッチを連続的に生じさせていくことが技術的に難しく、加えて、ノッチ入口部分が外被表面の特別な位置に配置され、ケーブルの断面形状を規定する押出機での設定も難しくなっていることで、ケーブル製造に係るコストが上昇しやすいという課題を有していた。
【００１０】
本発明は、前記課題を解消するためになされたもので、昆虫の産卵管がノッチに挿入されてもこれを心線に到達させることなく、心線の損傷を抑えられると共に、外被を切裂きやすく心線取出し性にも優れる光ファイバケーブルを提供することを目的とする。
【課題を解決するための手段】
【００１１】
本発明に係る光ファイバケーブルは、樹脂混合物を押出成形して形成される外被を有し、一又は複数本の光ファイバ心線、及び当該光ファイバ心線と並行させて一又は複数本配置される補強線の外周を、前記外被で一括被覆されてなる光ファイバケーブルにおいて、前記外被に、ケーブル長手方向に溝状に連続する二つのノッチが、前記光ファイバ心線中心又は心線群の中心位置について所定の対称関係となる配置でそれぞれ設けられ、前記ノッチが、前記外被表面寄りの入口ノッチ部と、前記光ファイバ心線寄りの先端ノッチ部との組合せ構造とされ、前記入口ノッチ部が、前記外被における前記光ファイバ心線から離れた端部の表面所定位置から、光ファイバ心線の側方に達する略くさび状の断面形状となる略溝状部とされ、且つ溝入口側から溝奥側へ向う延長線上に光ファイバ心線が存在しない位置関係として配置されてなり、前記先端ノッチ部が、前記入口ノッチ部の溝奥側端部から前記延長線に沿ってさらに進むにつれ拡大し、且つ前記光ファイバ心線寄りに位置する一つの隅部が先細状とされると共に当該先細になっていく向きを光ファイバ心線中心又は心線群の中心位置に向けられている所定断面形状の略溝状部とされてなるものである。
【００１２】
このように本発明においては、ケーブルの外被部分に入口ノッチ部と先端ノッチ部からなるノッチを設け、入口ノッチ部をその向きが光ファイバ心線に向わないような配置の略くさび状断面形状とする一方、先端ノッチ部を入口ノッチ部から拡大させた断面形状とすることにより、心線側に向う切裂きを誘発する隅部が入口ノッチ部側から十分な空隙をもって隔離され、ノッチへの産卵管挿入に際して、ノッチ内面形状によって産卵管が心線に向けて誘導されることもなく、産卵管を入口ノッチ部から心線側に向わせない状態を維持でき、ノッチを通じた外被への産卵管刺し入れによる光ファイバ心線の損傷抑止が図れる上、先端ノッチ部を起点として外被を手で引裂くことができ、光ファイバ心線の外被からの取出し作業を簡易に行えることとなる。また、ノッチを適切で無理のない形状としていることで、押出成形によるケーブル製造も容易であり、ケーブルとしてのコストダウンが図れる。
【００１３】
また、本発明に係る光ファイバケーブルは必要に応じて、前記先端ノッチ部が、前記一つの隅部を尖端とする断面Ｖ字状部分を有し、当該断面Ｖ字状部分が入口ノッチ部先端より心線寄りに位置すると共に、前記入口ノッチ部の略くさび状断面形状の開き角に対して、前記断面Ｖ字状部分の開き角を大きく設定されてなるものである。
【００１４】
このように本発明においては、先端ノッチ部を心線中心に向うＶ字状断面部分を備える形状とし、且つその開き角を入口ノッチ部より大きくすることにより、心線側に向う切裂きを誘発する隅部周辺と入口ノッチ部とのなす角度が大きくなり、入口ノッチ部側からどのように産卵管が挿入されても産卵管先端を心線から離れた先端ノッチ部の内壁に向わせることができ、ノッチへの産卵管挿入に際して、産卵管を入口ノッチ部から心線側に向わせない状態を確実に維持でき、産卵管刺し入れによる光ファイバ心線の損傷を防止できると共に、先端ノッチ部のなすＶ字溝を起点として外被に容易に切れ目を生じさせることができ、光ファイバ心線の取出し作業をより速やかに行える。
【００１５】
また、本発明に係る光ファイバケーブルは必要に応じて、前記光ファイバ心線と補強線を外被で被覆したケーブル本体の全体形状を、光ファイバ心線中心又は心線群の中心位置と補強線中心とを結ぶ線と平行な辺を有する矩形断面形状とし、前記ノッチが、入口部分を矩形断面のコーナ部に位置させ、前記光ファイバ心線中心又は心線群の中心位置と補強線中心とを結ぶ線を中心として左右対称に配置される前記光ファイバ心線と補強線を外被で被覆したケーブル本体の全体形状を、光ファイバ心線中心又は心線群の中心位置と補強線中心とを結ぶ線と平行な辺を有する略矩形断面形状とし、前記ノッチが、入口部分を矩形断面のコーナ部に位置させ、前記光ファイバ心線中心又は心線群の中心位置と補強線中心とを結ぶ線を中心として左右対称に配置されるものである。
【００１６】
このように本発明においては、ノッチを光ファイバ心線を中心として左右対称に配設し、ケーブル断面形状をノッチに挟まれた端部分とそれ以外の部分とに大きく分けた構造とすることにより、ケーブルのノッチに挟まれた端部分を他部分に対し捻って引離すようにすれば、ノッチ先端の隅部を起点として外被に切れ目が生じることとなり、そのまま外被を引裂いて光ファイバ心線を容易に取出すことができ、外被から光ファイバ心線を取出す際に工具を一切使用することなく作業を迅速且つ容易に進められる。
【発明を実施するための最良の形態】
【００１７】
（本発明の第１の実施形態）
以下、本発明の第１の実施形態に係る光ファイバケーブルを図１に基づいて説明する。本実施形態においては、光ファイバケーブルとして架空光ドロップケーブルの例について説明する。図１は本実施形態に係る光ファイバケーブルの横断面図である。
【００１８】
前記図１において本実施形態に係る光ファイバケーブル１は、二つの光ファイバ心線１１及びこの光ファイバ心線１１と並行させて二本配置される補強線１２の外周を外被１５で一括被覆される構造のケーブル本体１０と、このケーブル本体１０と同一の外被１５を有する支持線１６とを、ネック部１８で一体化した形状として形成される構成である。
【００１９】
前記ケーブル本体１０は、所定配合比のポリエチレン樹脂混合物からなる外被１５に被覆された二心の光ファイバ心線１１と、これら光ファイバ心線１１の両側に配設されるＦＲＰ製の二本の補強線１２とを備え、光ファイバ心線１１群の中心位置と補強線１２中心とを結ぶ線と平行な辺を有する矩形断面形状として形成される構成である。また、このケーブル本体１０の外被１５部分には、ケーブル長手方向に溝状に連続する所定断面形状の二つのノッチ１３が、光ファイバ心線１１群の中心位置について左右対称となる配置、詳細には、光ファイバ心線１１群の中心位置と補強線１２中心とを結ぶ線を中心として左右対称となる配置で形成される。このノッチ１３は、ケーブル本体１０における適度な屈曲性を付与する働きを有する他、ノッチ１３の外側に外被１５の薄い突出片部分を生じさせており、管路入線等の際にこのノッチ１３の外側にある外被１５の薄い突出片部分が撓むことで、管路内壁や既設ケーブルへの接触面積を極力小さくして摩擦係数を小さくすることができる。
【００２０】
前記ノッチ１３は、前記外被１５表面寄りの入口ノッチ部１３ａと、前記光ファイバ心線１１寄りの先端ノッチ部１３ｂとの組合せ構造とされ、入口ノッチ部１３ａに対して先端ノッチ部１３ｂを拡大させた断面形状とされる構成である。
【００２１】
前記入口ノッチ部１３ａは、前記外被１５の矩形断面における前記光ファイバ心線１１から離れたコーナ部の表面から、光ファイバ心線１１の側方に達する略くさび状の断面形状となる略溝状部とされ、且つ溝入口側から溝奥側へ向う延長線上に光ファイバ心線１１が存在しない位置関係として配置される構成である。この入口ノッチ部１３ａと、外被１５の矩形断面における一端部１４の辺とのなす角度αについては、ケーブル製造上の制約から約７０°以下にする必要があるが、この角度αが約５５°になるとちょうどノッチの延長線上に光ファイバ心線が存在する位置関係となり、さらに小さい角度になると外被の引裂きが困難になることから、この角度αは約７０°以下で且つ５５°より大きくするのが好ましい。
【００２２】
前記先端ノッチ部１３ｂは、前記入口ノッチ部１３ａの溝奥側端部から前記延長線に沿ってさらに進むにつれ拡大し、且つ前記光ファイバ心線１１寄りに位置する一つの隅部１３ｃが先細状とされると共にこの先細になっていく向きを光ファイバ心線１１群の中心位置に向けられている所定断面形状の略溝状部とされる構成である。
【００２３】
この先端ノッチ部１３ｂにおける前記隅部１３ｃとその周辺部分は断面Ｖ字状をなしており、この断面Ｖ字状部分は入口ノッチ部１３ａ先端より光ファイバ心線１１寄りに位置すると共に、そのＶ字の開き角を入口ノッチ部１３ａの略くさび状断面形状の開き角より大きく設定される。この隅部１３ｃを尖端とするＶ字の開き角は、ケーブルの製造性や外被１５の引裂き性を考慮して３０°〜１４０°の範囲に設定するのが好ましい。
【００２４】
なお、ノッチ１３は、識別用表示の配置やケーブル取扱い性の点で、ケーブル本体１０のコーナ部に溝入口部分が位置するよう配置するのが望ましいが、これに限らず、溝入口部分がケーブル本体１０の光ファイバ心線１１から離れた端部表面に位置して、溝入口側から溝奥側へ向う延長線上に光ファイバ心線が存在しないようにすれば、いずれの位置でもかまわない。
前記支持線１６は、鋼製のメッセンジャーワイヤ１７をケーブル本体１０と同じ外被１５で被覆して構成される。
【００２５】
これらケーブル本体１０及び支持線１６に用いられる外被１５は、高密度ポリエチレン等のオレフィン系樹脂をベース樹脂とし、これに難燃剤、酸化防止剤や滑剤、顔料等を添加して樹脂混合物を生成し、この樹脂混合物を光ファイバ心線１１、補強線１２及びメッセンジャーワイヤ１７の周囲に押出被覆成形することで得られるものである。
【００２６】
この外被成形過程では、外被１５となる樹脂混合物を混練生成し、この樹脂混合物を押出機において所定速度の押出速度で光ファイバ心線１１や補強線１２、及びメッセンジャーワイヤ１７の周囲に押出被覆することとなるが、押出の際に同時に外被１５中に生じさせるノッチ１３を、入口ノッチ部１３ａと先端ノッチ部１３ｂの組合せとし、入口ノッチ部１３ａを略くさび状断面形状に、先端ノッチ部１３ｂを入口ノッチ部１３ａから拡大させた断面形状としていることで、ノッチの生成に無理が無く、押出成形によるケーブル製造が容易に行える。
【００２７】
そして、得られたノッチ１３では、入口ノッチ部１３ａの溝深さ方向が光ファイバ心線１１からずれていることに加え、光ファイバ心線１１側に向う外被１５の切裂きを誘発する先端ノッチ部１３ｂの隅部１３ｃが入口ノッチ部１３ａ側から十分な空隙をもって隔離されており、ノッチ１３に対しセミ等の昆虫が産卵管を挿入した場合でも、ノッチ内面形状によって産卵管が光ファイバ心線１１に向けて誘導されることはなく、産卵管が入口ノッチ部１３ａから先端ノッチ部１３ｂの心線寄り部分に向うのを確実に抑えられ、ノッチ１３を通じた外被１５への昆虫の産卵管刺し入れによる光ファイバ心線１１の損傷被害を防止できる。
【００２８】
次に、本実施形態に係る光ファイバケーブルの被覆切裂き・心線露出工程について説明する。まず、二つのノッチ１３に挟まれた一端部１４とそれ以外の部分とに大きく分かれた構造となっているケーブル本体１０のうち、ノッチ１３に挟まれた一端部１４を他部分に対して捻って引離すようにすれば、先端ノッチ部１３ｂの隅部１３ｃを起点として外被１５に切れ目が生じることとなり、ケーブル本体１０のノッチ１３に挟まれた一端部１４が他部分に対し離れて外被１５を引裂いた状態が得られることとなる。これにより、外被１５内から光ファイバ心線１１を露出させて接続等の作業のために取出すことができる。この外被１５を引裂いて光ファイバ心線１１を取出すまでの過程で、工具を一切使用せずに済ませることとなり、作業を迅速且つ容易に進められると共に、光ファイバ心線１１に対して損傷などの悪影響を与えることはほとんどない。
【００２９】
こうしてノッチ１３を利用して外被１５の引裂きを進行させ、外被１５と光ファイバ心線１１とを十分接続作業が行える長さにわたって分離したら、分離した外被１５を切離し、露出状態になった光ファイバ心線１１と、他のケーブルにおける光ファイバ心線やコネクタとの接続を行えば、作業完了となる。
【００３０】
このように、本実施形態に係る光ファイバケーブルは、ケーブル本体１０の外被１５に入口ノッチ部１３ａと先端ノッチ部１３ｂからなるノッチ１３を設け、入口ノッチ部１３ａをその向きが光ファイバ心線１１に向わないような配置の略くさび状断面形状とする一方、先端ノッチ部１３ｂを入口ノッチ部１３ａから拡大させた断面形状とすることから、心線側に向う切裂きを誘発する隅部１３ｃが入口ノッチ部１３ａ側から十分な空隙をもって隔離され、ノッチ１３への産卵管挿入に際して、ノッチ１３内面形状によって産卵管が心線に向けて誘導されることもなく、産卵管を入口ノッチ部１３ａから心線側に向わせない状態を維持でき、ノッチ１３を通じた外被１５への産卵管刺し入れによる光ファイバ心線１１の損傷抑止が図れる上、先端ノッチ部１３ｂを起点として手で外被１５に切れ目を作って引裂くことができ、光ファイバ心線１１の外被１５からの取出し作業を簡易に行えることとなる。
【００３１】
（本発明の第２の実施形態）
本発明の第２の実施形態を図２に基づいて説明する。本実施形態においても架空光ドロップケーブルの例について説明する。図２は本実施の形態に係る光ファイバケーブルの横断面図である。
前記図２において本実施形態に係る光ファイバケーブル２は、前記第１の実施形態同様、光ファイバ心線２１と補強線２２とを外被２５で被覆したケーブル本体２０と、支持線２６とを備える一方、異なる点として、外被２５表面において長手方向に連続する複数のノッチ２３を、光ファイバ心線２１を中心とした回転対称位置に配置した構成を有するものである。
【００３２】
前記ケーブル本体２０は、前記第１の実施形態同様、樹脂混合物からなる外被２５に被覆された二心の光ファイバ心線２１と、この光ファイバ心線２１の両側に配設される二本の補強線２２とを備え、光ファイバ心線２１群の中心位置と補強線２２中心とを結ぶ線と平行な辺を有する矩形断面形状として形成される一方、異なる点として、外被２５部分にケーブル長手方向に連続させて設けられる二つのノッチ２３が、光ファイバ心線２１群の中心位置について回転対称となる配置とされる構成を有するものである。
【００３３】
このノッチ２３は、前記第１の実施形態同様、入口ノッチ部２３ａと先端ノッチ部２３ｂとの組合せ構造とされる一方、異なる点として、入口ノッチ部２３ａが、外被２５の矩形断面でちょうど対向位置となるコーナ部から、それぞれ光ファイバ心線２１の側方に達するものとされ、この入口ノッチ部２３ａに連続する形で先端ノッチ部２３ｂも配置される構成を有するものである。
【００３４】
次に、本実施形態に係る光ファイバケーブルの被覆切裂き・心線露出工程について説明する。まず、ケーブル本体２０におけるノッチ２３に爪やニッパ等の先端を差込んで開き、必要に応じてニッパ等の工具でノッチ２３に切込みを入れた上で、ノッチ２３が大きく開くようにこのノッチ２３を挟むケーブル本体２０の一方を他方から離れる向きに引張り、外被２５をノッチ２３において二つに分け、そのまま光ファイバ心線２１が接続作業を十分行える長さ分露出するまで外被２５を引裂いていく。外被２５の引裂きに伴う光ファイバ心線２１における損傷などの悪影響はほとんどない。光ファイバ心線２１を十分接続作業が行える長さにわたり露出させたら、前記第１の実施形態同様、分離した外被２５を切離し、露出状態になった光ファイバ心線２１と、他のケーブルにおける光ファイバ心線やコネクタとの接続を行えば、作業完了となる。
【００３５】
なお、前記各実施の形態に係る光ファイバケーブルにおいて、ケーブル本体１０、２０内に光ファイバ心線１１、２１が二本縦に並べて配置される構成としているが、これに限らず、光ファイバ心線の数やその並べ方はケーブル本体に適切に収められる範囲で適宜設定することができる。また、光ファイバ心線についても、単心の光ファイバ心線を一又は複数本配置する構成に限らず、複数本の光ファイバが共通被覆で一体となった束状やテープ状の心線を一又は複数組配置する構成とすることもできる。
【００３６】
また、前記各実施の形態に係る光ファイバケーブルにおいて、メッセンジャーワイヤ１７、２７を外被１５、２５で被覆した支持線１６、２６がケーブル本体１０、２０と一体化されて光ファイバケーブル１、２をなす構成としているが、これに限らず、支持線を用いず、光ファイバ心線と補強線を外被で被覆し、表面にノッチを設けたケーブル本体部分のみで光ファイバケーブルをなす構成とすることもでき、架空状態での強度がそれほど必要でない場合に簡略な構造を採用することでコストダウンが図れると共に、宅内引込時等の管内挿入作業への移行も、支持線切離し等の手間なく容易且つ速やかに行え、切離し後のネック部の残り等も存在しないことで摩擦抵抗を減らしてスムーズに作業が行える。
【００３７】
さらに、前記各実施の形態に係る光ファイバケーブルにおいて、補強線を光ファイバ心線及びメッセンジャーワイヤと直線上に並ぶ配置として二本配設する構成としているが、これに限らず、ケーブルの用途や設置環境に応じて光ファイバ心線に対する補強線の配置位置や配置数を適宜変更してもかまわない。
【図面の簡単な説明】
【００３８】
【図１】本発明の第１の実施形態に係る光ファイバケーブルの横断面図である。
【図２】本発明の第２の実施形態に係る光ファイバケーブルの横断面図である。
【符号の説明】
【００３９】
１                      光ファイバケーブル
１０、２０              ケーブル本体
１１、２１              光ファイバ心線
１２、２２              補強線
１３、２３              ノッチ
１３ａ、２３ａ          入口ノッチ部
１３ｂ、２３ｂ          先端ノッチ部
１３ｃ                  隅部
１４                    一端部
１５、２５              外被
１６、２６              支持線
１７、２７              メッセンジャーワイヤ
１８                    ネック部
【図１】
2009063880.tif 000003
【図２】
2009063880.tif 000004